(57)【要約】【課題】緊急情報をＣＡＴＶ受信機以外の特別な装置を設置することなく、画像として報知できるようにする。【解決手段】緊急情報発信機関９から発せられた緊急情報を、所定の管轄地域毎に設置されたＣＡＴＶ放送システムを利用して報知する緊急情報報知システム１であって、前記ＣＡＴＶ放送システム２の管轄地域に基づいて、前記緊急情報から地域緊急情報を作成する地域緊急情報作成手段３と、前記地域緊急情報に基づいて、緊急画像情報を作成する緊急画像情報作成手段４と、前記緊急画像情報を、前記管轄地域内のテレビ受像機８に接続されるＣＡＴＶ受信機６に送信する緊急画像情報送信手段５と、前記ＣＡＴＶ受信機８に備えられ、前記緊急画像情報に基づいて、前記テレビ受像機８に表示する報知用画像を作成する報知用画像作成手段７とを有する。【選択図】  図１
2009302993.tif 000002
【特許請求の範囲】
【請求項１】
緊急情報発信機関から発せられた緊急情報を、所定の管轄地域毎に設置されたＣＡＴＶ放送システムを利用して報知する緊急情報報知システムであって、
前記ＣＡＴＶ放送システムの管轄地域に基づいて、前記緊急情報から地域緊急情報を作成する地域緊急情報作成手段と、
前記地域緊急情報に基づいて、緊急画像情報を作成する緊急画像情報作成手段と、
前記緊急画像情報を、前記管轄地域内のテレビ受像機に接続されるＣＡＴＶ受信機に送信する緊急画像情報送信手段と、
前記ＣＡＴＶ受信機に備えられ、前記緊急画像情報に基づいて、前記テレビ受像機に表示する報知用画像を作成する報知用画像作成手段と、
を有する緊急情報報知システム。
【請求項２】
前記緊急画像情報送信手段は、前記緊急画像情報作成手段により作成された前記緊急画像情報を、通常放送用に確保された伝送領域以外の未使用領域に重畳して送信する、
請求項１記載の緊急情報報知システム。
【請求項３】
前記未使用領域は、テレテキスト領域である、
請求項２記載の緊急情報報知システム。
【請求項４】
前記緊急画像情報送信手段は、前記緊急画像情報を前記通常放送のチャンネル毎に重畳する、
請求項２又は３記載の緊急情報報知システム。
【請求項５】
ＣＡＴＶ放送システムが緊急情報発信機関から発せられた緊急情報と該ＣＡＴＶ放送システムが管轄する地域とに基づいて作成した緊急画像情報を受信するＣＡＴＶ受信機であって、
前記緊急画像情報に基づいて、テレビ受像機に表示する報知用画像を作成する報知用画像作成手段、
を有するＣＡＴＶ受信機。
【請求項６】
緊急情報発信機関から発せられた緊急情報を、所定の管轄地域毎に設置されたＣＡＴＶ放送システムが受信するステップと、
前記ＣＡＴＶ放送システムにおいて、前記ＣＡＴＶ放送システムの管轄地域に基づいて、前記緊急情報から地域緊急情報を作成するステップと、
前記ＣＡＴＶ放送システムにおいて、前記地域緊急情報に基づいて緊急画像情報を作成するステップと、
前記ＣＡＴＶ放送システムにおいて、前記緊急画像情報を前記管轄地域内のテレビ受像機に接続される複数のＣＡＴＶ受信機に送信するステップと、
前記複数のＣＡＴＶ受信機各々において、前記緊急画像情報に基づいて、前記テレビ受像機に表示する報知用画像を作成するステップと、
を有する緊急情報報知方法。
【請求項７】
前記ＣＡＴＶ放送システムにおいて、前記緊急画像情報を通常放送用に確保された伝送領域以外の未使用領域に重畳するステップ、
を有する請求項６記載の緊急情報報知方法。
【請求項８】
前記未使用領域は、テレテキスト領域である、
請求項７記載の緊急情報報知方法。
【請求項９】
前記緊急画像情報を前記通常放送のチャンネル毎に重畳する、
請求項７又は８記載の緊急情報報知方法。
【発明の詳細な説明】
【技術分野】
【０００１】
本発明は、緊急地震速報等の緊急情報を報知するための技術に関し、特にＣＡＴＶを利用するものに関する。
【背景技術】
【０００２】
現在、地震の発生直後に、震源地、マグニチュード等を特定し、各地に主要動が到達する前に報知する緊急地震速報が一般向けに提供されている。このような緊急地震速報の報知システムとして、テレビ地上波を利用するものがある。このシステムにおいては、気象庁等の機関から発信された緊急地震速報は、テレビ放送局を経由し、通常の番組信号の動画中に重畳されて放送される。そして、この緊急地震速報を重畳した番組信号は、各視聴者のテレビ受像機において受信された後にデコード処理され、ディスプレイ上に表示される。
【０００３】
また、報知システムの別の形式として、ＣＡＴＶ（Common Antenna TeleVision, Community Antenna TeleVision）を利用するものもある。例えば、地震に関する情報が伝達される回線に接続され、地震に関する情報を処理して報知情報を生成する処理部と、個別又は複数の構内端末装置を収容する構内端末制御装置と接続される電話装置インターフェース部とを有し、処理部は、電話装置インターフェース部を介して、構内端末制御装置を制御し、構内端末装置に報知情報を送信し、構内端末装置から報知情報を報知するシステムが開示されている（特許文献１参照）。
【特許文献１】特開２００８−７７２９９号公報
【発明の開示】
【発明が解決しようとする課題】
【０００４】
しかしながら、上述したようなテレビの地上波を利用するシステムにおいて、デジタル放送の動画中に緊急地震速報を載せる場合には、放送局や各テレビ受像機における動画のエンコード、デコード処理に時間がかかり、報知に遅延が生じやすいといった問題がある。また、複数あるテレビ放送局のうち、全ての放送局が緊急地震速報の提供を行っているとは限らないため、視聴者はこのサービスを行っている放送局のチャンネルを視聴していなければ緊急地震速報を見ることができないといった問題もある。更に、このようなテレビ放送局は、放送エリアが広いため、各地域に適合した詳細な緊急情報を提供することが難しいという問題もある。
【０００５】
一方、ＣＡＴＶを利用したシステムにおいては、その放送範囲が比較的狭いため、より地域に適合した緊急情報を提供することが可能となるが、上記特許文献１に開示されるシステムにおいては、ＣＡＴＶ放送を視聴可能にするＣＡＴＶ受信機（セットトップボックス等と称されるもの）の他に、警告音、音声、点滅光等により報知情報を発する機器として、構内端末装置が必要となる。そのため、導入コストが高くなったり、テレビ画面上で画像による詳しい情報を確認することができないといった問題がある。
【課題を解決するための手段】
【０００６】
上記課題の解決を図る本発明は、緊急情報発信機関から発せられた緊急情報を、所定の管轄地域毎に設置されたＣＡＴＶ放送システムを利用して報知する緊急情報報知システムであって、前記ＣＡＴＶ放送システムの管轄地域に基づいて、前記緊急情報から地域緊急情報を作成する地域緊急情報作成手段と、前記地域緊急情報に基づいて、緊急画像情報を作成する緊急画像情報作成手段と、前記緊急画像情報を、前記管轄地域内のテレビ受像機に接続されるＣＡＴＶ受信機に送信する緊急画像情報送信手段と、前記ＣＡＴＶ受信機に備えられ、前記緊急画像情報に基づいて、前記テレビ受像機に表示する報知用画像を作成する報知用画像作成手段とを有するものである。
【０００７】
この構成によれば、緊急情報発信機関（気象庁等）から発せられた緊急情報（緊急地震速報等）は、先ずＣＡＴＶ放送システムによって受信され、このＣＡＴＶ放送システム内で必要に応じて管轄地域に適合した情報に加工されると共にこの情報を画像によって表現するための緊急画像情報が作成される。そして、この緊急画像情報は、ケーブル回線を通じて各視聴者の使用するＣＡＴＶ受信機に送信され、ＣＡＴＶ受信機内で報知用画像に復元され、テレビ受像機のディスプレイ上に表示される。
【０００８】
また、本発明は、ＣＡＴＶ放送システムが緊急情報発信機関から発せられた緊急情報と該ＣＡＴＶ放送システムが管轄する地域とに基づいて作成した緊急画像情報を受信するＣＡＴＶ受信機であって、前記緊急画像情報に基づいて、テレビ受像機に表示する報知用画像を作成する報知用画像作成手段を有するものである。
【０００９】
また、本発明は、緊急情報発信機関から発せられた緊急情報を、所定の管轄地域毎に設置されたＣＡＴＶ放送システムが受信するステップと、前記ＣＡＴＶ放送システムにおいて、前記ＣＡＴＶ放送システムの管轄地域に基づいて、前記緊急情報から地域緊急情報を作成するステップと、前記ＣＡＴＶ放送システムにおいて、前記地域緊急情報に基づいて緊急画像情報を作成するステップと、前記ＣＡＴＶ放送システムにおいて、前記緊急画像情報を前記管轄地域内のテレビ受像機に接続される複数のＣＡＴＶ受信機に送信するステップと、前記複数のＣＡＴＶ受信機各々において、前記緊急画像情報に基づいて、前記テレビ受像機に表示する報知用画像を作成するステップとを有する緊急情報報知方法である。
【発明の効果】
【００１０】
上記本発明によれば、ＣＡＴＶの視聴者に対して、各管轄地域に適合した緊急情報を、ＣＡＴＶ受信機以外の特別な装置を設置することなく、テレビ画面に表示される画像として報知することが可能となる。また、デジタル放送の視聴中であっても、従来程の遅延を生ずることがない。
【発明を実施するための最良の形態】
【００１１】
発明の実施の形態１．
以下、本発明の実施の形態を、添付した図面を参照して説明する。図１において、本発明に係る緊急情報報知システム１の基本的な構成が示されている。この緊急情報報知システム１は、ＣＡＴＶ放送システム２において、地域緊急情報作成手段３、緊急画像情報作成手段４、及び緊急画像情報送信手段５を備え、ＣＡＴＶ受信機６において、報知用画像作成手段７を備えるものである。
【００１２】
前記ＣＡＴＶ放送システム２は、各地に所定の管轄地域を割り当てられて設置され、該管轄地域内に敷設されたケーブル回線を通じて、視聴者の使用するテレビ受像機８に接続されるＣＡＴＶ受信機６に、通常の番組放送を含む各種情報を送信するものである。
【００１３】
前記地域緊急情報作成手段３は、緊急情報発信機関９から発せられる緊急情報を、前記ＣＡＴＶ放送システム２の管轄地域に適合化するものである。前記緊急情報発信機関９としては、自然環境等に関する各種観測データを収集、提供する気象庁や、各種観測データを分析し、災害等に関する緊急情報を発信する気象業務支援センタ等が相当する。前記緊急情報としては、緊急地震速報等が相当する。このような緊急情報発信機関９から発せられる緊急情報は、通常全国的な情報を全て含む１つの情報として各地に一斉に送信されるものである。そのため、この緊急情報をそのまま報知したのでは、視聴者に直接影響しない遠隔地に関する情報まで表示されることとなる。前記適合化とは、このような全国的な情報の中から、前記管轄地域に関する詳細な情報を抽出、又は加工等する処理のことである。
【００１４】
前記緊急画像情報作成手段４は、前記地域緊急情報作成手段３により作成された地域緊急情報に基づいて、前記管轄地域に適合した緊急情報を画像により表現するための緊急画像情報を作成するものである。
【００１５】
前記緊急画像情報送信手段５は、前記緊急画像情報を、前記管轄地域内の視聴者の使用するテレビ受像機８に接続されるＣＡＴＶ受信機６に送信するものである。
【００１６】
前記ＣＡＴＶ受信機６は、ＣＡＴＶ放送をテレビ受像機８により視聴可能にするために、前記ＣＡＴＶ放送システム２からケーブル回線を通じて送信される情報に対して各種処理を行うものであり、一般的にセットトップボックス等と称されるものである。
【００１７】
前記報知用画像作成手段７は、前記緊急画像情報送信手段５により送信された前記緊急画像情報に基づいて、前記テレビ受像機８に表示する報知用画像を作成するものである。
【００１８】
この構成により、ＣＡＴＶの視聴者に対して、ＣＡＴＶ放送を視聴するために必要なＣＡＴＶ受信機６の他に、特別な装置を設置することなく、各管轄地域に適合した緊急情報を、遅延なくテレビ受像機８において画像で確認することが可能となる。
【００１９】
図２において、上記緊急情報報知システム１の具体的な構成例が示されている。前記緊急情報発信機関９は、気象庁１０や気象業務支援センタ１１を含み、ここでは緊急地震速報を発信する場合が例示されている。
【００２０】
前記ＣＡＴＶ放送システム２は、前記緊急情報発信機関９からの緊急地震速報を受信する受信機２０、ＲＡＭ、ＲＯＭ等から構成されるメモリ２１、メモリ２１に格納された各種情報及びプログラムに従って各種情報処理を行うＣＰＵ２２、通常の番組放送等に関する通常放送情報を出力する出力装置２３、２つ以上の入力を１つの信号として出力するマルチプレクサ２４等を有して構成される。
【００２１】
前記受信機２０により受信された緊急地震速報に関する情報（信号）は、前記メモリ２１に格納される。前記ＣＰＵ２２は、前記メモリ２１に格納された前記緊急地震速報に関する情報に基づいて、所定のプログラムに従って、前記緊急画像情報を作成する。そして、前記マルチプレクサ２４は、前記通常放送情報と前記緊急画像情報とを１つの情報（信号）にまとめ、出力する。
【００２２】
前記ＣＡＴＶ受信機６は、多重化された信号をそれぞれの出力に分配するデマルチプレクサ３０、メモリ３１、ＣＰＵ３２、及び２つ以上の画像情報を１つにして出力するブレンダ３３を有して構成される。
【００２３】
前記デマルチプレクサ３０は、前記ＣＡＴＶ放送システム２のマルチプレクサ２４により多重化された信号から前記緊急画像情報を抜き出し、この緊急画像情報はメモリ３１に格納される。前記ＣＰＵ３２は、前記メモリ３１に格納された前記緊急画像情報に基づいて、所定のプログラムに従って、前記報知用画像情報を作成する。前記ブレンダ３３は、前記デマルチプレクサ３０により分配された通常放送画像情報と、前記報知用画像とを合成し、テレビ画面に表示させる。
【００２４】
図３において、上記構成の緊急情報報知システム１における処理の流れが例示されている。先ず、緊急情報発信機関９において、気象庁により観測されたＰ波等のデータが気象業務支援センタに送信されると（Ｓ１０１）、気象業務支援センタは、この観測データに基づいて緊急地震速報を作成し各地のＣＡＴＶ放送システム２に送信する（Ｓ１０２）。
【００２５】
ＣＡＴＶ放送システム２は、緊急地震速報を受信すると（Ｓ１０３）、この内容を管轄地域に適合化し、地域緊急情報を作成する（Ｓ１０４）。ここでの適合化とは、例えば前記管轄地域における震度、地震発生（Ｓ波到達）時刻等の情報を、受信した緊急地震速報信号から抽出、又は加工等する処理である。このような適合化処理により得られた地域緊急情報に基づいて、前記緊急画像情報が作成される（Ｓ１０５）。この緊急画像情報は、デジタル放送（通常の番組放送）の各チャンネルの伝送領域に設定されたテレテキスト領域に載せられ（Ｓ１０６）、この緊急画像情報が載せられたデジタル放送データは、ケーブル回線により送信される（Ｓ１０７）。
【００２６】
ＣＡＴＶ受信機６は、前記ＣＡＴＶ放送システム２から送信されたデジタル放送データを受信すると（Ｓ１０８）、このデジタル放送データの中から前記緊急画像情報を抽出する（Ｓ１０９）。この抽出処理は、周知のパケット送受信技術とＰＩＤ（Packet ID）によるフィルタリング等の手法を利用することにより実行することができる。そして、ＣＡＴＶ受信機６は、この抽出された緊急画像情報に基づいて報知用画像を作成し（Ｓ１１０）、この報知用画像と通常放送画像とを合成し（Ｓ１１１）、テレビ画面に通常放送画像と共に報知用画像を表示させる（Ｓ１１２）。
【００２７】
図４において、前記ＣＡＴＶ放送システム２における前記地域緊急情報５０から前記緊急画像情報５１を作成する際（図３中Ｓ１０４〜Ｓ１０５）の手順が示されている。前記地域緊急情報５０は、図１に示す前記地域緊急情報作成手段３（図２に示すメモリ２１、ＣＰＵ２、所定のプログラム等）により作成される情報であって、前記緊急情報発信機関９から発信される緊急地震速報等の緊急情報から前記管轄地域に適合する情報を抽出等することにより得られるものである。前記緊急画像情報５１は、図１に示す前記緊急画像情報作成手段４（図２に示すメモリ２１、ＣＰＵ２、所定のプログラム等）により作成される情報であって、前記地域緊急情報５０に基づいて、前記管轄地域に適合した緊急情報を画像により表現するための情報である。
【００２８】
先ず、前記地域緊急情報５０から、前記管轄地域における予想震度を示す震度情報、前記管轄地域に揺れ（Ｓ波）が到達するまでの時間を示すカウントダウン情報、及び震央地を示す震央地情報を抽出する。そして、前記震度情報５５、前記カウントダウン情報５６、前記震央地情報５７から得られる地名情報５８、及び文字テンプレート情報５９に基づいて、前記緊急画像情報５１中の文字部を構成する文字情報６０が作成される。また、前記震央地情報５７から得られる地図テンプレート情報６１、使用記号情報６２、及び座標情報６３に基づいて、前記緊急画像情報５１中の地図部を構成する地図情報６４が作成される。そして、これら文字情報６０及び地図情報６４により、前記緊急画像情報５１が構成される。
【００２９】
前記緊急画像情報５１は、図５に示すように、デジタル放送の各チャンネルのテレテキスト領域に所定のＰＩＤを指定し、ＰＥＳ（Packetized Elementary Stream）のペイロード部にビットマップデータとして載せることが好ましい。このように、緊急画像情報５１を各チャンネルに載せることにより、視聴者がどのチャンネルを視聴していても緊急情報を確認することができる。また、デジタル放送の視聴中であっても、従来程の遅延を生ずることがない。
【００３０】
図６において、テレビ画面に表示される前記報知用画像７０が例示されている。この報知用画像７０は、上記のようにして送信された緊急画像情報５１に基づいて、前記ＣＡＴＶ受信機６の報知用画像作成手段７（図１参照）により作成されるものである。この報知用画像７０は、カウントダウン表示部７１、予測震度表示部７２、震源地表示部７３、及び地図表示部７４を有して構成される。前記カウントダウン表示部７１、予測震度表示部７２、及び震源地表示部７３は、前記緊急画像情報５１（図４参照）に含まれる文字情報６０に基づいて、文字テンプレート７５に適当な数値や文字を一覧表７６，７７，７８から選択して当てはめることにより作成される。また、地図表示部７４は、前記緊急画像情報５１に含まれる地図情報６４に基づいて、地図テンプレート８０上の適当な位置に適当な記号を一覧表８１から選択して当てはめることにより作成される。前記文字テンプレート７５、地図テンプレート８０、一覧表７６，７７，７８，８１等のデータは、前記メモリ３１（図２参照）に予め格納されていることが好ましい。これにより、前記報知用画像７０の作成に係る処理時間を短縮することができ、報知の遅延を抑制することができる。尚、前記緊急画像情報５１は、画像データそのものに限られるものではなく、画像データ（前記報知用画像７０）を作成するために必要なあらゆる形式のデータを含むものである。例えば、前記緊急画像情報５１が震度情報、カウントダウン情報、震央地情報のみからなる形式のものであっても、前記ＣＡＴＶ受信機６内に文字テンプレート情報等を用意することによって、前記報知用画像７０を作成することができる。
【図面の簡単な説明】
【００３１】
【図１】本発明に係る緊急情報報知システムの基本的な構成を示す図である。
【図２】本発明に係る緊急情報報知システムの具体的な構成例を示す図である。
【図３】本発明に係る緊急情報報知システムにおける処理の流れを例示するフローチャートである。
【図４】ＣＡＴＶ放送システムにおいて地域緊急情報から緊急画像情報を作成する際の手順を示す図である。
【図５】緊急画像情報をデジタル放送の伝送領域に重畳させる際のイメージを示す図である。
【図６】報知用画像の例を示す図である。
【符号の説明】
【００３２】
１  緊急情報報知システム
２  ＣＡＴＶ放送システム
３  地域緊急情報作成手段
４  緊急画像情報作成手段
５  緊急画像情報送信手段
６  ＣＡＴＶ受信機
７  報知用画像作成手段
８  テレビ受像機
【図１】
2009302993.tif 000003
【図２】
2009302993.tif 000004
【図３】
2009302993.tif 000005
【図４】
2009302993.tif 000006
【図５】
2009302993.tif 000007
【図６】
2009302993.tif 000008